(57)【要約】      （修正有）【課題】人体に対して負傷の危険度が少なく安全性のある材質を使用した、インテリア風の収納箱を兼ね添えた家具類転倒防止器具を提供する。【解決手段】下部収納箱３は上部蓋0003109039.tif 000007ンネル枠１２をはめ込み、同枠１２に伸縮用スプリング代替のゴム等１０を取り付けその伸縮力を応用し、上部蓋収納箱２が上下に伸縮可動できる構造を有する伸縮式収納箱１である。【選択図】図５−ａ
0003109039.tif 000002
【実用新案登録請求の範囲】
【請求項１】
ダンボール紙製等の軽量材質で成形された箱状を上部蓋収納箱と下部収納箱とに分離し、上部蓋収納箱内側に下部収納箱を挿入して伸縮用スプリング等により上部蓋収納箱が上下に伸縮可動ができる構造を有する伸縮式収納箱を家具類の上面と天井面との間に介在さし、天井面を押圧している状態の密着位置で上部蓋収納箱と下部収納箱を連結固定する事により収納箱本体が天井面、家具類および床が一体化し、地震の激しい横揺れ、縦揺れにも家具類が転倒するのを防止する事を特徴とする家具類転倒防止用伸縮式収納箱である。
【請求項２】
上部蓋収納箱が上下に伸縮可動する方法として上部蓋収納箱および遊動溝のある下部収納箱等の両側面底部分断面に伸縮用スプリングおよびゴム等を取り付け、その伸縮力を応用して上部蓋収納箱が上下に伸縮可動できる構造を有する伸縮式収納箱である。
【請求項３】
上部蓋収納箱と下部収納箱の連結固定方法として天井面を押圧している状態の密着位置で上部蓋収納箱と下部収納箱が重なった両側面部をボルト、ナット等により締め付ける方式の外、粘着テープ等によって直接連結固定および補強固定板を側面部に張り付け、あるいは高さ調整ボルト等により上部蓋収納箱の下降防止を図る事を特徴とする家具類転倒防止用伸縮式収納箱である。
【請求項４】
0003109039.tif 000006
部分を入れ、観音開ができる様な簡易式の開閉部を作り、内部に物品を収納でき、箱の表面に各種色刷り印刷、化粧紙で貼付する事により収納箱を兼ね添えた装飾用家具類転倒防止用伸縮式収納箱である。
【考案の詳細な説明】
【考案の詳細な説明】
【産業上の利用分野】
【０００１】  本考案は地震の際の揺れによってタンス、本棚またはロッカーなどの家具類が転倒するのを防止するための収納箱でその箱状の形状を利用して家具類の上面と天井面との間に介在さす事により家具類の転倒防止に関するものである。
【背景技術】
【０００２】  大地震の発生の際、激しい横揺れ、縦揺れに襲われた時等に家庭内などにおける家具類が転倒した場合には、人．物に多大な損害を与え、死傷という痛ましい惨事となるのを防止するために種種の家具転倒防止器具が考案され、その代表的なものを挙げると従来例は、家具類の上面と天井面との間に介在させて家具類を固定する家具転倒防止器具として当接部材を家具の上面に置き調整ナットを回転して調節棒を延ばして、上方に位置する当接部材を天井面に強固に押圧すると言った構造を有する突っ張り棒と称する家具転倒防止器具が知らている。【０００３】  いずれの家具等転倒防止器具、装置にもプラスチック製および木製天板、金属などの重量のある硬質材料の付属品が使用されいる構造を有する家具転倒防止器具であるから万が一本体自身が外れ落下した場合、家具類転倒防止器具および装置本体ならびにその物の付属品が落下危険対象物として更に危険度が増大し安全を脅かす要因となる事が予想される。
【考案が解決しようとする課題】
【０００４】  本考案は地震の際の揺れによってタンス、本棚またはロッカーなどの家具類が転倒するのを防止するため従来、家具類の上面と天井面との間に介在させて家具類を固定する家具転倒防止器具としては突っ張り棒等と称する家具転倒防止器具として知らているが従来例の家具転倒防止器具はいずれも支柱の両端の台座が小さく、天井と家具類に接する面積が究めて小さいために激しい横揺れ、縦揺れに襲われた時にはその部分に大きな荷重が掛り、吊り天井等の強度の弱い天井や部分的に弱い箇所が出来て、家具類の上面と天井面との当接部材の間隙が生じてしまい、当接部材の押圧の強度が低下して家具の固定機能が作用しないという重大な欠点を有していた。
【０００５】  畳の上や厚手の絨毯の上等に置かれた家具類は、月日の経と共に下方に沈み込み従って、従来例の家具転倒防止器具は支柱の両端の台座が小さいので当接部材と天井面との間に隙間が生じてしまい、当接部材の押圧強度が低下して地震の際に家具の固定機能が作用しないという問題点を有していた。
【０００６】  木製天板、プラスチック、金属等の重量ある硬質材料を本体および付属品に使用している従来の家具類転倒防止器具本体が外れ落下した場合、人に危害を加わる危険度が増大し安全を脅かす要因が増えると言った問題点もある。
【課題を解決するための手段】
【０００７】  前記の問題点があるのでその解決策として、一般的に家具の上に物品が置かれておる場合が多く見られ、部屋の美観を損ねているので美観上から見苦しさを無くするために収納箱へ物品を収納する事により、地震の際の揺れにも家具上の物品が落下するのを防止する事が出来る共に物品の整理整頓が出来き、その上、収納箱本体が天井面、家具類および床が一体化する事により、地震の激しい横揺れ、縦揺れに対しても家具類が転倒するのを防止する事ができる転倒防止用器具と収納箱を兼ね添えた家具類転倒防止用伸縮式収納箱１である
【０００８】  従来例の家具転倒防止器具は支柱の両端の台座が小さいから天井と家具類に接する面積が究めて小さく地震の際、横揺れ、縦揺れに襲われた時などは天井と家具類その他一点に大きな荷重が掛かるから、家具類の上面と天井面に強い荷重が掛からないようにするには天井と家具類の上面に応じた密着面積を有する大きさのダンボール等各種厚紙の軽量材質で成形された箱状の収納箱を設置する事により荷重を平均的に分散化され負荷を最小限度に押さえる事を特徴とする家具類転倒防止用伸縮式式収納箱１とした。
【０００９】  従来例の家具転倒防止器具および装置が地震の際、激しい横揺れ、縦揺れに襲われた時等に天井や家具類が破損して、その機能が損なわれ家具類と共にプラスチツク製の家具転倒防止器具および木製天板を含め金属などの硬質、重量材料を使用している装置などの家具等転倒防止器具本体自身が外れ落下した場合、家具等転倒防止器具および装置を設置して無い家屋より、設置して有る家屋の方が落下危険対象物が増えて危険度が増大し安全を脅かす要因となるので、その要因を除去するために本考案した家具類転倒防止用伸縮式収納箱本体の材質は人体に対して負傷の危険度が少なく安全なダンボール紙製などの軽量材質を使用し、またボルト、ナット等の硬質材料の付属品などを必要最小限度に使用し成形された立方体、直方体等の形状を有する安全な収納箱である。
【００１０】  本考案の伸縮式収納箱を家具類の上面と天井面との間に介在さす事により、収納箱本体が天井面、家具類および床が一体化し、家具類の転倒を防止でき、万が一家具類が転倒した場合であっても、木製天板やプラスチツク、金属などの硬質、重量材料を使用している家具等転倒防止の器具、装置などと違い危険対象付属品を無くしてより安全性のあるダンボール等各種厚紙の軽量材質を使用している家具類転倒防止用伸縮式収納箱１である。
【作用】
【００１１】  厚紙ダンボール製等の軽量材料物で成形された箱状の収納箱で上部蓋収納箱２と下部収納箱３とに分離し、下部収納箱３は上部蓋収納箱２に挿入して上部蓋収納箱２が上下に可動できる伸縮式収納箱１である。
【００１２】  その成形された箱状の収納箱を家具類１６の上面と天井面１５との間に設置し、上部蓋収納箱２が最上に移動した密着位置で上部蓋収納箱２と下部収納箱３を連結固定する。
固定方法は上部蓋収納箱２と下部収納箱３が重なった両側面部をボルト７、ナツト８により締め付けて連結固定の外、粘着テープ等によつて直接連結固定あるいわ補強固定板を両側面部に張り付け及び高さ調整ボルト等で上部蓋収納箱２の下降防止を図る事を特徴とする構造を有する伸縮式収納箱１である。
【００１３】  家具類１６の上面と天井面１５に強い荷重が掛かからず平均的に分散化し、負荷を最小限度に押さえるために、家具類の上面に応じた密着面積を有する箱状の収納箱１を設置し、上部蓋収納箱２が最上部に移動した密着位置で常に天井面１５を押圧している状態で上部蓋収納箱２と下部収納箱３を連結固定する。
【００１４】  押圧面積が多いから天井面１５とにピッタリと当接するので、押圧面がズレたり外れたりする事がなくその機能が損なわれず、収納箱１本体が天井面１５、家具類１６および床１７が一体化し固定状態が継続する事により地震の際、激しい横揺れ、縦揺れであってもタンス、本棚などの家具類１６が転倒するのを防止する事ができる。
【実施例】
【００１５】  次に本考案を実施する一例について図面を参照しながら説明するとまず図１から図１０において符号１は家具類転倒防止用伸縮式収納箱１を示し、この家具類転倒防止用伸縮式収納箱１の構造は厚紙ダンボール製等の軽量材質で成形された箱状もので、形状は立方体、直方体等である。【００１６】  また箱状の収納箱１は図面６、図面７の示す通り上部蓋収納箱２と下部収納箱、３（遊動溝のある下部収納箱ｂ含む）とに分離し、図面１．２．３．４．５の示す通り下部収納箱３は上部蓋収納箱２に挿入して上部蓋収納箱２が上下に可動できる家具類転倒防止用伸縮式収納箱１である。【００１７】  上部蓋収納箱２が上下に伸縮可動できる方法として図面４ーａ．５−ａに示す
0003109039.tif 000003
み、伸縮用スプリング代替のゴム等１０を取り付けの外、図面４−ｂ．５−ｂに示す通りＯ字型の遊動溝のある下部収納箱３に上部蓋収納箱２の両側面部にから挿入された固定ボルト７に伸縮用スプリング代替のゴム１０等を逆Ｕ字型に掛け、いずれもそのゴム等の伸縮力を応用する事により、下部収納箱３と上部蓋収納箱２は常に外側に伸張状態になっているから、上部蓋収納箱２が上下に伸縮可動できる構造を有する事を特徴とする伸縮式収納箱１である。【００１８】  その成形された箱状の伸縮式収納箱１を図面９〜１０の示す通り家具類１６の上面と天井面１５との間に縮小状態したうえ設置し、上部蓋収納箱２が最上に移動した密着位置で図面５の示す通り上部蓋収納箱２と下部収納箱３に重なった両側面部をボルト７、ナツト８により締め付け連結固定して下降防止を図る。【００１９】  図面９．１０、の示す通り連結固定された家具類転倒防止用伸縮式収納箱１は家具類１６の上面と天井面１５に強い荷重が掛からず広く平均的に分散化され負荷を最小限度に押さえる事により地震の際、激しい横揺れ、縦揺れに対しても上部蓋収納箱２が最上部で密着し、常に天井面１５を押圧状態であるから押圧面積が多く上面と天井面１５とにピッタリと当接しているから押圧面がズレたり外れたりする事がなく、収納箱１本体が天井面１５、家具類１６および床１７が一体化しているのでタンス、本棚などの家具類１６が転倒するのを防止する事ができる構造を有する家具類転倒防止用伸縮式収納箱１である。
【考案の効果】
【００２０】  本考案した家具類転倒防止用伸縮式収納箱１は以上の説明した通り、従来例型の家具転倒防止器具および装置と違い付属品にプラスチック製、木製、金属製などの硬質、重量材料を使用せず、人体に対して負傷の危険度の少なく安全なダンボール紙製などの軽量材質を使用し、成形された立方体、直方体等の形状を利用し家具類の転倒防止を図り、安全性を一段と高めた収納箱を兼ね添えた家具類転倒防止用伸縮式収納箱１である。
【００２１】
0003109039.tif 000004
三方に切り込み部分を入れ、図面８、１０の示す通り上部蓋収納箱前面の開閉部分４は上に折れ、下部収納箱前面の開閉部分５は下側に折れ、観音開が出来る様な簡易ドアー式の構造を有する開閉部４、５を作り、上部蓋収納箱内と下部収納箱内に各種品物を容易に収納し、図面１、９の示す通り上部蓋収納箱２と下部収納箱３の前面部が重なった中央部分にマジックテープ１４等で固定し開閉を防止する事を特徴とする家具類転倒防止用伸縮式収納箱１である。
【００２２】  家具類１６の上面と天井面１５との空間を利用して家具の上に贈答品などの箱入りの物品が置かれ、乱雑に積み重ねられている場合に美観を損ねているのでその物品を収納箱１に入れ、整理、整頓し、地震の揺れの際に家具上に置かれている物品を落下するのを防止する事ができた上、ダンボール紙製などの軽量材質で成形された箱状の物であるから安全性が高められた家具類転倒防止用伸縮式収納箱１である。
【００２３】  ダンボール紙製の表面を各種色刷り化粧紙を貼付とすれば、部屋のインテリア家具としての装飾用家具類転倒防止用伸縮式収納箱１である。
【図面の簡単な説明】
【図１】  家具類転倒防止用伸縮式収納箱の正面図と上部蓋収納箱前面部の開閉部を閉めた状態の正面図
【図２】  家具類転倒防止用伸縮式収納箱の側面図ａ．ｂ
【図３】  家具類転倒防市用伸縮式収納箱の平面図
【図４】  家具類転倒防止用伸縮式収納箱が固定される前の状態のＡ−Ａ断面図ａ．ｂ
【図５】  家具類転倒防止用伸縮式収納箱を収縮後に固定された状態のＡ−Ａ断面図ａ．ｂ
【図６】  家具類転倒防止用伸縮式収納箱の上部蓋収納箱と下部収納箱を分離した状態の正面図面
【図７】  家具類転倒防止用伸縮式収納箱の上部蓋収納箱と下部収納箱ａ．ｂを分離した状態の側面図
【図８】  家具類転倒防止用伸縮式収納箱の上部蓋収納箱と下部収納箱の各前面部の開閉部分を観音開きにした状態の正面図
【図９】  家具類転倒防止用伸縮式収納箱を家具等の上に設置した状態の正面図
【図１０】  家具類転倒防止用伸縮式収納箱を家具等の上に設置した状態の側面図ａ．ｂ
【符号の説明】
１    家具類転倒防止用伸縮式収納箱
２    上部蓋収納箱
３    下部収納箱
４    上部蓋収納箱前面の開閉部
５    下部収納箱前面の開閉部
６    折り目線
７    ボルト
８    ナット
９    ワッシヤ
１０    伸縮用スプリング代替のゴム輪
0003109039.tif 000005
１３    つまみ
１４    マジックテープ
１５    天井
１６    家具類
１７    床
１８    遊動溝
【図１】
0003109039.tif 000008
【図２−ａ】
0003109039.tif 000009
【図２−ｂ】
0003109039.tif 000010
【図３】
0003109039.tif 000011
【図４−ａ】
0003109039.tif 000012
【図４−ｂ】
0003109039.tif 000013
【図５−ａ】
0003109039.tif 000014
【図５−ｂ】
0003109039.tif 000015
【図６】
0003109039.tif 000016
【図７−ａ】
0003109039.tif 000017
【図７−ｂ】
0003109039.tif 000018
【図８】
0003109039.tif 000019
【図９】
0003109039.tif 000020
【図１０−ａ】
0003109039.tif 000021
【図１０−ｂ】
0003109039.tif 000022
【手続補正書】
【提出日】平成17年1月5日(2005.1.5)
【手続補正１】
【補正対象書類名】実用新案登録請求の範囲
【補正対象項目名】全文
【補正方法】変更
【補正の内容】
【実用新案登録請求の範囲】
【請求項１】
ダンボール紙製等の軽量材質で成形された箱状を上部蓋収納箱と下部収納箱とに分離し、上部蓋収納箱内側に下部収納箱を挿入して伸縮用スプリング等により上部蓋収納箱が上下に伸縮可動ができる構造を有する伸縮式収納箱を家具類の上面と天井面との間に介在さし、天井面を押圧している状態の密着位置で上部蓋収納箱と下部収納箱を連結固定する事により収納箱本体が天井面、家具類および床が一体化し、地震の激しい横揺れ、縦揺れにも家具類が転倒するのを防止する事を特徴とする家具類転倒防止用伸縮式収納箱。
【請求項２】
上部蓋収納箱が上下に伸縮可動する方法として上部蓋収納箱および遊動溝のある下部収納箱等の両側面底部分断面に伸縮用スプリングおよびゴム等を取り付け、その伸縮力を応用して上部蓋収納箱が上下に伸縮可動できる構造を有する請求項１記載の家具類転倒防止用伸縮式収納箱。
【請求項３】
上部蓋収納箱と下部収納箱の連結固定方法として天井面を押圧している状態の密着位置で上部蓋収納箱と下部収納箱が重なった両側面部をボルト、ナット等により締め付ける方式の外、粘着テープ等によって直接連結固定および補強固定板を側面部に張り付け、あるいは高さ調整ボルト等により上部蓋収納箱の下降防止を図る事を特徴とする構造を有する請求項１記載の家具類転倒防止用伸縮式収納箱。
【請求項４】
0003109039.tif 000023
込み部分を入れ、観音開ができる様な簡易式の開閉部を作り、内部に物品を収納でき、箱の表面に各種色刷り印刷、化粧紙で貼付する事により装飾用収納箱を兼ね添えた特徴とする構造を有する請求項１記載の家具類転倒防止用伸縮式収納箱。